(57)【要約】【課題】配列された複数の表示パネル同士の連結剛性が高く、しかも互いに破損するおそれを低減させる。【解決手段】複数の表示パネル２を隙間Ｓを介して縦横方向に配列し、連結金具４によって互いに連結する。連結金具４ａは、表示パネル２Ａの背面２ａの固定穴と位置決めしてボルトで締め込み固定する位置決め穴８と、位置決め穴８の横方向に設けて隣の表示パネル２Ｂの固定穴と位置決めしてボルトで固定する第一長穴９と、位置決め穴８の縦方向に設けた第二長穴１０と、位置決め穴８の対角方向に設けた第三長穴１１とを設けた。【選択図】図１
2019133105.tif 000002
【特許請求の範囲】
【請求項１】
第一の表示パネルと第二の表示パネルを隙間を開けて互いに連結するための連結金具であって、
第一の前記表示パネルの背面に固定具で固定する位置決め穴と、
前記位置決め穴の一方向及び／またはこれに直交する他方向に形成されていて隣接する第二の前記表示パネルの背面に固定具で固定する長穴と、を備えたことを特徴とする連結金具。
【請求項２】
前記位置決め穴と前記長穴との間で所定角度に折り曲げ可能とした請求項１に記載された連結金具。
【請求項３】
前記長穴は、前記位置決め穴の一方向に延びて形成された第一長穴と、前記位置決め穴の一方向に直交する他方向に延びて形成された第二長穴と、前記位置決め穴の対角方向に形成された第三長穴と、を有している請求項１または２に記載された連結金具。
【請求項４】
前記第二長穴と前記第三長穴は互いに直交する方向に延びている請求項３に記載された連結金具。
【請求項５】
前記第一長穴と第三長穴の一方は前記一方向に直交する方向に延びている請求項３または４に記載された連結金具。
【請求項６】
互いに隙間を開けて配列された第一の表示パネル及び第二の表示パネルと、
前記第一の表示パネルを位置決め穴を通して固定具で固定すると共に前記第二の表示パネルを長穴を通して別の固定具で固定して互いに連結する連結金具と、を備え、
前記第一の表示パネル及び第二の表示パネルは前記連結金具を介して同一面状に配列され、または所定角度に傾斜して配列されていることを特徴とするマルチモニター。
【請求項７】
互いに隙間を開けて配列された第一の表示パネル及び第二の表示パネルと、
前記第一の表示パネルを固定具で固定する第二長穴と、前記第二の表示パネルを別の固定具で固定する前記第二長穴に直交する第三長穴と、を有する連結金具と、を備え、
前記第一の表示パネル及び第二の表示パネルは前記連結金具を介して同一面状に配列され、または所定角度に傾斜して配列されていることを特徴とするマルチモニター。
【請求項８】
前記第一の表示パネル及び第二の表示パネルが所定角度で傾斜して配列されている場合、前記連結金具も折り曲げられている請求項６または７に記載されたマルチモニター。
【請求項９】
互いに隙間を開けて配列された第一の表示パネル及び第二の表示パネルに対し、
前記第一の表示パネルの背面に連結金具に形成された円形の位置決め穴を通して固定具で固定し、
前記連結金具における前記位置決め穴の一方向及び／またはこれに直交する他方向に形成された長穴を通して、前記第二の表示パネルの背面に固定具で固定することで、
前記第一の表示パネル及び第二の表示パネルを前記連結金具で連結したことを特徴とするマルチモニターの連結方法。
【発明の詳細な説明】
【技術分野】
【０００１】
本発明は、複数の表示パネル（モニター）を一体に連結して保持することができるマルチモニター用の連結金具、連結されたマルチモニター及びこのマルチモニターの連結方法に関する。
【背景技術】
【０００２】
従来、液晶ディスプレイ等の表示パネルを複数配列させたマルチモニターとして使用する場合、これら複数の表示パネルは支持スタンドまたは壁掛け専用冶具に取り付けて縦横方向に配列して連結している。表示パネルの固定に際し、ＶＥＳＡ規格で規定された表示パネル背面のねじ穴を通して、支持スタンドまたは壁掛け専用冶具にねじ固定している。既製品のマルチモニター用スタンドや壁掛け専用冶具は基本的に位置調整機構が多く設定されており、表示パネル裏面に設けた取り付け部と位置調整機構との間に裕度がある。
【０００３】
例えば特許文献１に記載されたモニター支持装置では、底座に取り付けた支柱の両側に回転可能で上下摺動可能に表示パネルをそれぞれ支持できる両腕部を備えた支持枠が取り付けられている。両腕部に設けた長溝状の溝部には、表示パネルを固定する表示パネル取り付け部がそれぞれねじ固定されている。そのため、腕部の溝部に対して表示パネルを固定した表示パネル取り付け部を位置調整可能であり、裕度がある。
また、マルチモニターの各表示パネルは熱膨張を考慮して、例えば１ｍｍ程度のクリアランスを設けている。
【先行技術文献】
【特許文献】
【０００４】
【特許文献１】実用新案登録第３１４８１９５号公報
【発明の概要】
【発明が解決しようとする課題】
【０００５】
しかしながら、特許文献１に記載されたモニター支持装置において、表示パネルを両腕部にそれぞれ固定した状態で、または表示パネルの位置を微調整する際、表示パネル同士が腕部の溝部に沿ってガタついたり微小移動したりすると、クリアランスがあっても互いに干渉して損傷する可能性があった。
また、表示パネルからベゼルを取り外した状態で縦横方向に配列させる場合には、表示パネル同士が接触すると互いに損傷することもあった。
【０００６】
本発明は、上述した課題に鑑みてなされたものであり、配列された複数の表示パネル同士の連結剛性が高く、しかも互いに破損するおそれを低減させる連結金具、マルチモニター及びマルチモニターの連結方法を提供することを目的としている。
【課題を解決するための手段】
【０００７】
本発明による連結金具は、第一の表示パネルと第二の表示パネルを隙間を開けて互いに連結するための連結金具であって、第一の表示パネルの背面に固定具で固定する位置決め穴と、位置決め穴の一方向及び／またはこれに直交する他方向に形成されていて隣接する第二の表示パネルの背面に固定具で固定する長穴と、を備えたことを特徴とする。
【０００８】
本発明によるマルチモニターは、互いに隙間を開けて配列された第一の表示パネル及び第二の表示パネルと、第一の表示パネルを位置決め穴を通して固定具で固定すると共に第二の表示パネルを長穴を通して別の固定具で固定して互いに連結する連結金具と、を備え、第一の表示パネル及び第二の表示パネルは連結金具を介して同一面状に配列され、または所定角度に傾斜して配列されていることを特徴とする。
【０００９】
本発明によるマルチモニターは、互いに隙間を開けて配列された第一の表示パネル及び第二の表示パネルと、第一の表示パネルを固定具で固定する第二長穴と、第二の表示パネルを別の固定具で固定する第二長穴に直交する第三長穴と、を有する連結金具と、を備え、第一の表示パネル及び第二の表示パネルは連結金具を介して同一面状に配列され、または所定角度に傾斜して配列されていることを特徴とする。
【００１０】
本発明によるマルチモニターの連結方法は、互いに隙間を開けて配列された第一の表示パネル及び第二の表示パネルに対し、第一の表示パネルの背面に連結金具に形成された円形の位置決め穴を通して固定具で固定し、連結金具における位置決め穴の一方向及び／またはこれに直交する他方向に形成された長穴を通して、第二の表示パネルの背面に固定具で固定することで、第一の表示パネル及び第二の表示パネルを連結金具で連結したことを特徴とする。
【発明の効果】
【００１１】
本発明に係る連結金具、マルチモニター及びその連結方法は、隣り合う表示パネル同士を連結金具で連結固定することでマルチモニター全体が剛体となり、隣り合う表示パネルの隙間を一定に保持することができるため、使用時や移動時等に表示パネルが破損する可能性を低減することができる。
【図面の簡単な説明】
【００１２】
【図１】本発明の実施形態によるマルチモニターを示すもので、（ａ）は平面図、（ｂ）は正面図である。
【図２】表示パネルとベゼルの分解斜視図である。
【図３】表示パネルの裏面角部近傍に設けた固定穴と表示パネルの縦辺と横辺との位置関係を示す部分説明図である。
【図４】マルチモニターのベゼル付き表示パネルと固定穴との位置関係を示す図である。
【図５】マルチモニターのベゼルのない表示パネルと固定穴との位置関係を示す図である。
【図６】図１に用いる連結金具の正面図である。
【図７】マルチモニターの表示パネルをスイーベル方向に角度をつけたもので、（ａ）は平面図、（ｂ）は正面図である。
【図８】互いに傾斜させた第一の表示パネル及び第二の表示パネルと連結金具の分解平面図である。
【図９】マルチモニターの表示パネルをピボット方向に角度をつけたもので、（ａ）は正面図、（ｂ）は側面図である。
【発明を実施するための形態】
【００１３】
以下、本発明の実施形態による連結金具とマルチモニター１、そしてマルチモニター１の連結方法を図１〜図９を参照して説明する。
図１は本発明の実施形態によるマルチモニター１を示す背面図である。マルチモニター１は、複数、例えば４枚の表示パネル２の背面２ａをわずかな隙間Ｓを介して縦横方向に配列したものである。背面２ａとは表示画面２ｂの反対側の面である。マルチモニター１の縦横方向において、隣り合う表示パネル２の端部同士を連結金具４で互いに連結している。
【００１４】
ここで、４枚の表示パネル２を便宜的に２Ａ、２Ｂ、２Ｃ、２Ｄで表示するものとする。横方向の表示パネル２Ａと２Ｂ、２Ｃと２Ｄは上下端部の中央寄りの角部同士で横向きの連結金具４によってそれぞれ連結されている。これらの連結金具４を便宜上、４ａ、４ｂとする。縦方向の表示パネル２Ａと２Ｃ、２Ｂと２Ｄは左右方向の外側端部の角部同士で縦向きの連結金具４によってそれぞれ連結されている。これらの連結金具４を便宜上、４ｃ、４ｄとする。
更に、マルチモニター１の中央部で４枚の表示パネル２Ａ、２Ｂ、２Ｃ、２Ｄの角部同士が連結金具４で連結されている。この連結金具４を便宜上４ｅとする。
図１に示すマルチモニター１は５個の連結金具４を介して各表示パネル２Ａ、２Ｂ，２Ｃ、２Ｄが略同一面状に配列されて連結されている。
【００１５】
図２は各表示パネル２の概略背面図であり、略長方形板状の表示パネル２の表示画面２ｂの反対側に背面２ａが形成され、背面２ａは中央厚肉の膨出部２ｃとその四周の薄肉の周縁部２ｄとを有している。周縁部２ｄの各角部近傍には、複数の表示パネル２を連結金具４を介して縦横方向に連結するための固定穴５が形成されている。固定穴５と連結金具４は図示しないボルト等の固定具（以下、単にボルトという）で固定される。
また、表示パネル２の四辺にはベゼル６が装着可能であるが、マルチモニター１では各表示パネル２にベゼル６を装着することなく直接、連結金具４で連結することも可能である。
【００１６】
図３は表示パネル２の固定穴５の配設位置の一例を示すものである。図３において、表示パネル２の四辺にベゼル６を装着した場合、固定穴５の中心から表示パネル２の縦辺７ａ、横辺７ｂまでの距離をそれぞれＰとし、ベゼル６の幅をＱとする。ベゼル６を設けない場合、縦辺７ａ及び横辺７ｂと固定穴５の中心との距離はいずれも（Ｐ−Ｑ）である。
【００１７】
そのため、図４に示すマルチモニター１の４枚の表示パネル２の配列状態において、表示パネル２の縦辺７ａ、横辺７ｂにそれぞれベゼル６を設けた場合、隣り合う表示パネル２間の隙間Ｓを例えば距離Ｌとすると縦横方向の固定穴５の中心間距離は（２Ｐ+Ｌ）となる。また、図５に示すように、表示パネル２の縦辺７ａ、横辺７ｂにベゼル６を設けない場合、隣り合う表示パネル２間の隙間Ｓを距離Ｌとして縦横方向の固定穴５の中心間距離は（２Ｐ−２Ｑ+Ｌ）となる。隙間Ｓの距離Ｌは表示パネル２等が熱膨張しても互いに接触しないように設定され、例えば１ｍｍとした。
【００１８】
図６は連結金具４を示す平面図であり、例えば略四角形板状に形成されている。連結金具４は縦横方向にボルトを締め込むための４つの穴を有している。連結金具４の材質は弾性が極めて低く硬いものとし、例えば鉄製であることが好ましい。連結金具４は左上に位置決め穴８が設けられ、この位置決め穴８は真円形状の穴を形成している。位置決め穴８は最初にいずれかの表示パネル２の固定穴５に取り付けてボルトをねじ込み固定することで、他の表示パネル２の配置を位置決めできて作業性を向上できる。
位置決め穴８の横方向には、位置決め穴８と縦方向に同一幅で横方向に長円形状をなす第一長穴９が形成されている。位置決め穴８の縦方向には、位置決め穴８と横方向に同一幅で縦方向に長円をなす第二長穴１０が形成されている。第二長穴１０の横方向には、第三長穴１１が形成されている。第三長穴１１は横方向が第一長穴９と同一幅であり、縦方向が第二長穴１０と同一幅をなす略長方形状とされている。第三長穴１１は位置決め穴８に対して対角方向に配設されている。
【００１９】
これら連結金具４の位置決め穴８、第一長穴９、第二長穴１０、第三長穴１１はそれぞれ表示パネル２Ａ、２Ｂ，２Ｃ、２Ｄのいずれか１つの固定穴５にボルトを締め込んで連結可能である。連結金具４に第一長穴９、第二長穴１０、第三長穴１１を設けたのは、ベゼル６を取り付けた表示パネル２のボルト連結を基準にして、ベゼル６を除いた場合、マルチモニター１の複数の表示パネル２を縦方向または横方向に傾斜して配置した場合に連結金具４を折り曲げてボルトで連結することを考慮したものである。
【００２０】
ボルトによって、連結金具４の位置決め穴８と第一長穴９とを通して二枚の表示パネル２Ａ、２Ｂの固定穴５に締め込み固定する際、円形の位置決め穴８で表示パネル２Ａが相対移動しないようにボルトで固定できる。位置決め穴８の横方向に設けた第一長穴９に締め込むボルトの位置をその長手方向の適宜位置に調整して、表示パネル２Ｂの固定穴５に締め込み固定できる。
連結金具４の第二長穴１０と第三長穴１１は互いに直交する方向に延びる長穴として形成されている。そのため、連結金具４の第二長穴１０と第三長穴１１とでボルトを介して二枚の表示パネル２Ｃ、２Ｄの各固定穴５に連結する際、第二長穴１０に締め込むボルトに対して第三長穴１１に締め込むボルトの長手方向位置を相対的に調整することができる。
【００２１】
連結金具４の位置決め穴８と第二長穴１０で二枚の表示パネル２Ａ、２Ｃを連結する場合、そして、第一長穴９と第三長穴１１とで二枚の表示パネル２を連結する場合において、一方のボルトは位置調整できないように位置決め穴８、第一長穴９で締め込み固定され、他方のボルトは第二長穴１０、第三長穴１１で位置調整可能に締め込み固定される。そのため、連結金具４で二枚の表示パネル２の一方を固定し、他方を折り曲げてボルト間の間隔を調整可能に固定できる。
例えば、連結金具４は、位置決め穴８及び第二長穴１０と第一長穴９及び第三長穴１１との間で縦方向に延びる主曲げ線１５によって折り曲げ可能である。また、連結金具４は、位置決め穴８及び第一長穴９と第二長穴１０及び第三長穴１１との間で横方向に延びる副曲げ線１６で折り曲げ可能である。なお、主曲げ線１５と副曲げ線１６は表示パネル２の傾斜角度に応じて位置ずれ可能である。
【００２２】
次に連結金具４における各穴の配置関係の一例について説明する。
図７（ａ）、（ｂ）に示す例では、マルチモニター１を表示パネル２Ａ及び２Ｃと表示パネル２Ｂ及び２Ｄとの間で１８０度より小さい所定角度θで互いに横方向に角度θで互いに傾斜させている。この場合、連結金具４ａ、４ｂ、４ｅは主曲げ線１５によって同一の角度θに折り曲げられる。これをスイーベル方向の傾斜という。
ここで、連結金具４を折り曲げた際の位置決め穴８、第一長穴９、第二長穴１０、第三長穴１１間の主曲げ線１５からの長さについて図８（ａ）、（ｂ）により説明する。例えば、表示パネル２Ａと表示パネル２Ｂをそれぞれ角度θだけ水平方向に傾斜させた場合、各表示パネル２の厚みをＴとすると、表示パネル２Ａ、２Ｂの端部から主曲げ線１５までの内側の距離Ｘ＝Ｌ／２・ｃｏｓθ、表示パネル２Ａ、２Ｂの端部から隙間Ｓまでの外側の距離Ｙ＝Ｔｔａｎθになる。表示パネル２の厚みＴは例えば１．２ｍｍとする。
【００２３】
そして、図６に示す連結金具４において、図４、図５、図８を参照して、位置決め穴８、第一長穴９、第二長穴１０、第三長穴１１に関連する距離の一例を説明すると、次のようになる。即ち、位置決め穴８の中心Ｏ１と第一長穴９の左側の中心Ｏ２との距離は（２Ｐ−２Ｑ＋Ｌ）、主曲げ線１５と中心Ｏ２との距離は[（２Ｐ−２Ｑ＋Ｌ＋２Ｔｔａｎθ）／２]、第二長穴１０の上側の中心Ｏ４と第三長穴１１の外側の中心Ｏ７との距離は[２Ｐ＋２Ｘ＋２Ｔｔａｎθ]となる。但し、距離Ｘ＝（Ｌ／２）／ｃｏｓθである。
また、位置決め穴８の中心Ｏ１と第二長穴１０の近い側の中心Ｏ４との距離は（２Ｐ−２Ｑ＋Ｌ）、中心Ｏ１と第二長穴１０の遠い側の中心Ｏ５との距離は（２Ｐ＋Ｌ）となる。
【００２４】
図９（ａ）、（ｂ）に示す例では、マルチモニター１を表示パネル２Ａ及び２Ｂと表示パネル２Ｃ及び２Ｄとの間で１８０度より小さい角度θで縦方向に互いに傾斜させている。この場合、連結金具４ｃ、４ｄは主曲げ線１５によって折り曲げられ、連結金具４ｅは副曲げ線１６によって折り曲げられる。これをピボット方向の折り曲げという。
図７及び図９に示すように、表示パネル２Ａ、２Ｂ、２Ｃ、２Ｄのマルチモニター１を図1に示す平面状態から、縦方向または横方向に角度θで互いに傾斜させて形成した場合、角度θの可変範囲は例えば０°〜１５°の範囲とする。この場合、θｍｉｎ＝０°、θｍａｘ＝１５°となり、角度θの大きさに応じて主曲げ線１５の位置と副曲げ線１６の位置は変動する。        
【００２５】
本実施形態によるマルチモニター１は上述した構成を備えており、次にマルチモニター１の組み立て方法を説明する。
例えば、図１に示す平面状のマルチモニター１を組み立てるに際し、各表示パネル２の背面２ａの縦辺７ａ及び横辺７ｂの周縁部２ｄにベゼル６を装着した場合、図４に示すように、４枚の表示パネル２Ａ、２Ｂ、２Ｃ、２Ｄを互いに隙間Ｓを開けて縦横方向に配列する。そして、連結金具４ａを固定する際、表示パネル２Ａと２Ｂの間に連結金具４ａを設置し、位置決め穴８を表示パネル２Ａの右上角部の固定穴５に位置合わせする。第一長穴９を表示パネル２Ｂの左上角部の固定穴５に位置合わせする。固定穴５よりも第一長穴９は横方向に長く形成されている。
【００２６】
次に、ボルトを位置決め穴８と表示パネル２Ａの固定穴５に締め込み固定する。また、ボルトを、第一長穴９を通して表示パネル２Ｂの左上角部の固定穴５に締め込み固定する。同様にして、連結金具４ｂ、４ｃ、４ｄを介して表示パネル２Ａ、２Ｂ、２Ｃ、２Ｄを連結して固定する。
連結金具４ｃで表示パネル２Ａと２Ｃを連結する際、表示パネル２Ａの左下角部の固定穴５に第二長穴１０を位置決めし、表示パネル２Ｃの左上角部の固定穴５に第三長穴１１を位置決めしてボルトで固定する。
【００２７】
また、４枚の表示パネル２Ａ，２Ｂ，２Ｃ，２Ｄの各角部が隙間Ｓを介して配列された中央に連結金具４ｅを取り付ける。この場合、表示パネル２Ａの右下角部の固定穴５に位置決め穴８を位置決めして、ボルトでねじ込み固定する。これによって、連結金具４の位置決めができる。
次に対角方向の表示パネル２Ｄの左上角部の固定穴５に第三長穴１１を通してボルトをねじ込み固定する。そして、第一長穴９、第二長穴１０を通して表示パネル２Ｂ，２Ｃの各固定穴５にボルトをねじ込み固定する。
【００２８】
なお、平板状に表示パネル２を配列したマルチモニター１において、連結金具４の第一長穴９〜第三長穴１１にボルトを締め込む場合、ボルトは第一長穴９〜第三長穴１１の長手方向中間位置に締め込むものとする。こうして、マルチモニター１の組み立てが完了する。
また、図５に示すように、表示パネル２からベゼル６を外した状態でマルチモニター１を組み立てる場合、連結金具４の第一長穴９〜第三長穴１１のいずれかにボルトを締め込む際に、固定穴５，５間の距離が短くなる。そのため、ボルトは第一長穴９〜第三長穴１１の長手方向における位置決め穴８から最も離れた端部位置または第二長穴１０から最も離れた端部位置に締め込まれる。
【００２９】
次に、図７に示すスイーベル方向に表示パネル２を折り曲げたマルチモニター１の組み立て方法について説明する。
この場合、４枚の表示パネル２Ａ，２Ｂ，２Ｃ，２Ｄは縦方向の隙間Ｓを中心に表示画面２ｂ側に角度θだけ傾斜させて互いに隙間Ｓを開けて配設されている。連結金具４ｃ、４ｄは上述の場合と同様に平板状であり、ボルトは位置決め穴８または第二長穴１０、第一長穴９、第三長穴１１を通して各表示パネル２の固定穴５に締め込み固定される。表示パネル２Ａ及び２Ｃと表示パネル２Ｂ及び２Ｄの間に固定する連結金具４ａ、４ｂ、４ｅは、主曲げ線１５を中心に両側をそれぞれ角度θだけ予め折り曲げたものを取り付ける。そのため、位置決め穴８と第一長穴９の距離、第二長穴１０と第三長穴１１の距離が傾斜角θの増大に応じて長くなる。
【００３０】
その際、表示パネル２Ａと２Ｂの間では、連結金具４ａの位置決め穴８と表示パネル２Ａの右上角部の固定穴５とにボルトを締め込み固定する。連結金具４ａの第一長穴９は位置決め穴８に近接した端部側で表示パネル２Ｂの左上角部の固定穴５に位置合わせしてボルトを締め込み固定する。連結金具４ｂ、４ｅも同様に第一長穴９、第三長穴１１を位置決め穴８に近接した端部側で表示パネル２の固定穴５と位置決めしてボルトを締め込む。
こうして、スイーベル方向に折り曲げられたマルチモニター１を組み立てできる。
【００３１】
次に、図９に示すピボット方向に表示パネル２を折り曲げたマルチモニター１の組み立て方法について説明する。
４枚の表示パネル２Ａ，２Ｂ，２Ｃ，２Ｄは横方向の隙間ｓを中心に表示画面２ｂ側に角度θだけ縦方向に傾斜させて互いに隙間ｓを開けて配設する。連結金具４ａ、４ｂは上述した平板状のマルチモニター１と同様に平板状であり、ボルトによって位置決め穴８と第一長穴９を通して各表示パネル２の固定穴５に締め込み固定する。表示パネル２Ａ及び２Ｂと表示パネル２Ｃ及び２Ｄの間に固定する連結金具４ｃ、４ｄ、４ｅは、副曲げ線１６を中心に両側をそれぞれ角度θだけ予め折り曲げたものを取り付ける。
そのため、連結金具４ｃ、４ｄでは、位置決め穴８と第一長穴９との距離、第二長穴１０と第三長穴１１との距離が延びる。連結金具４ｅでは位置決め穴８及び第一長穴９と第二長穴１０及び第三長穴１１との距離が延びる。
【００３２】
その際、表示パネル２Ｂと２Ｄの間では、連結金具４ｄの位置決め穴８と表示パネル２Ｂの右下角部の固定穴５とにボルトを締め込み固定する。連結金具４ｄの第一長穴９は位置決め穴８に近接した端部側で表示パネル２Ｄの右下角部の固定穴５に位置合わせしてボルトを締め込み固定する。連結金具４ｃは第二長穴１０を表示パネル２Ａの左下角部の固定穴５に位置決めしてボルトで締め込み固定する。第三長穴１１は第二長穴１０に近接した端部側で表示パネル２Ｃの左上角部の固定穴５に位置合わせしてボルトを締め込み固定する。
こうして、ピボット方向に折り曲げられたマルチモニター１を組み立てできる。
【００３３】
上述したように本実施形態によるマルチモニター１の連結金具４によれば、全ての表示パネル２を連結金具４で一定の隙間ｓを介して互いに連結して固定できる。しかも円形の位置決め穴８によって一方の表示パネル２と遊びなく固定でき、第一長穴９〜第三長穴１１のいずれかで他方の表示パネル２を固定するため、全ての表示パネル２が連結金具４によって一定の隙間ｓを保持して剛体として連結できる。そのため、各表示パネル２ががたついたり、互いに干渉して接触したり破損したりする可能性を低減できる。
また、一部の連結金具４ｃでは互いに直交して延びる第二長穴１０及び第三長穴１１と表示パネル２A、２Cの固定穴５とをボルトで固定するため、表示パネル２の位置ずれを抑制することができる。
【００３４】
また、マルチモニター１において、複数の表示パネル２をスイーベル方向（横方向）やピボット方向（縦方向）に向い合せに傾斜配置させて連結金具４で連結固定したため、一方の表示パネル２を位置決め穴８で固定すると共に他方の表示パネル２を第一長穴９から第三長穴１１で固定できるため、連結金具４の折り曲げによる長さの伸縮を吸収してボルト固定できる。
【００３５】
なお、本発明は上述の実施形態によるマルチモニター１の連結金具４に限定されることはなく、本発明の趣旨を逸脱しない範囲で適宜の変更や置換等が可能であり、これらはいずれも本発明に含まれる。次に本発明の変形例について説明するが、上述した実施形態と同一または同様な部分、部材には同一の符号を用いて説明する。
【００３６】
上述した実施形態によるマルチモニター１は、４枚の表示パネル２を縦横方向に配列させて平面状、縦方向または横方向に傾斜させて構成したが、本発明はこのような構成に限定されない。例えば表示パネル２は少なくとも縦方向及び/または横方向に２枚以上の適宜枚数ずつ配列して連結金具４で互いに連結固定することができる。
【００３７】
また、連結金具４において、縦横方向に配列された４枚の表示パネル２の中央に固定した連結金具４ｅを除いて、二枚の表示パネル２を連結する位置決め穴８と第一長穴９、第二長穴１０と第三長穴１１、位置決め穴８と第二長穴１０、第一長穴９と第三長穴１１等のように、二枚の表示パネル２の固定穴５と位置決めできる、少なくとも２つの穴が形成されていればよい。
また、上述した実施形態では、表示パネル２の固定穴５を四隅の角部に設けたが、縦辺７ａ、横辺７ｂの中間部に設けてもよい。
【符号の説明】
【００３８】
１  マルチモニター
２、２Ａ、２Ｂ、２Ｃ、２Ｄ  表示パネル
４、４ａ、４ｂ、４ｃ、４ｄ、４ｅ  連結金具
５  固定穴
６  ベゼル
８  位置決め穴
９  第一長穴
１０  第二長穴
１１  第三長穴
１５  主曲げ線
１６  副曲げ線
S  隙間
【図１】
2019133105.tif 000003
【図２】
2019133105.tif 000004
【図３】
2019133105.tif 000005
【図４】
2019133105.tif 000006
【図５】
2019133105.tif 000007
【図６】
2019133105.tif 000008
【図７】
2019133105.tif 000009
【図８】
2019133105.tif 000010
【図９】
2019133105.tif 000011